(57)【特許請求の範囲】
【請求項１】
走行可能な台車と、その台車の後方に設けられた目砂、肥料等の散布材料を収容するホッパーと、このホッパーの下部出口を通ってホッパーから供給される散布材料を後方に搬送する搬送装置と、この搬送装置の後方にて散布材料を散布する散布装置を備えた散布機であって、搬送装置が、周方向に溝を形成されたコンベヤローラーにより搬送ベルトを駆動するように構成され、搬送ベルトのコンベヤローラー側の面の周方向に駆動時にコンベヤローラーの周方向溝に嵌合する幅０．５〜５ｃｍのコグベルトを貼着したことを特徴とする散布機。
【請求項２】
請求項１に記載の散布機において使用される搬送ベルトであって、コンベヤローラー側の面の周方向に駆動時にコンベヤローラーの周方向溝に嵌合する幅０．５〜５ｃｍのコグベルトを貼着した搬送ベルト。
【発明の詳細な説明】
【技術分野】
【０００１】
本発明は、ゴルフ場、公園などの芝生に目砂、肥料等を散布する散布機に関するもので、特に、ホッパーから目砂、肥料等を送り出す搬送装置がベルト駆動を採用する散布機、およびその搬送ベルトに関する。
【背景技術】
【０００２】
ゴルフ場、公園などの芝地では、芝生の育成のために、芝目間に目砂や肥料等を散布することが行われる。その作業には、台車で走行しながら、ホッパー内に収容された目砂、肥料等を散布する散布機が用いられることが一般的である。
【０００３】
従来のこの種の散布機の第一例を図１、図２を使用して説明する。図１は、従来の第一例の目砂、肥料等の散布機の全体側面図であり、図２は、図１の散布機を後方より見た背面図である。図において、１はエンジン２により自走する走行台車で、前輪１ａと後輪１ｂを有し、ミッション３によって駆動される。後輪１ｂは散布機の散布幅とほぼ同幅で、グリーン上で散布した時に轍が残らないよう四分割されたローラーで形成される。４は目砂、肥料等の散布材料を入れるホッパーで、走行台車１の後輪１ｂの上方に設けられる。このホッパー４の下方は開放しており、開放部の下に搬送装置５が配設される。この搬送装置５は、ホッパー４の前後方に位置するコンベヤローラー５ａ、５ｂによりベルト５ｃが後向きに駆動される。６はホッパー４の後面下部に設けられたシャッターで、散布材料の送り出し量を調整する。７は前記シャッター６の調整ハンドルで、リンク機構８を介して送り出し量が調整される。９は搬送装置５から送り出された散布材料を散布する散布装置であり、図示では、回転ブラシ９ａが示されている。
【０００４】
この散布機において目砂、肥料などの散布材料を散布する場合、搬送装置５のコンベヤーベルト５ｃから送り出された散布材料は、シャッター６によってその量が調整され、ベルト幅に合った散布幅でブラシ９によって落下散布される。
【０００５】
次に、従来のこの種の散布機の第二例を図３、図４を使用して説明する。図３は、従来の第二例の散布機全体の平面図であり、後方に設けられた散布装置９は前記第一例の散布機の回転ブラシ９ａの代わりに２枚のローター９ｂが設けられている。図４は、図３の散布機の全体側面図である。図において前述した図１、図２の散布機と同一又は相当部分は、同一符号を付けて説明を省略し、それ以外の部分を説明する。
【０００６】
図３、図４において、走行台車１の後輪１ｂ’はタイヤで構成され、油圧モーター１０によって駆動される。前記ローター９ｂは円盤９ｃと、その上面に放射状方向に複数個設けられたフィン９ｄで構成される。図示ではローター９ｂが２枚設けられた場合が示され、互いに逆方向に回転して台車１の進行方向に向かって、中央から外側に散布材料を飛散するようになっている。１１はシュートで、搬送装置５の後方下部に位置し、且つ前記ローター９ｂの上方進行方向に位置しており、図示ではローター９ｂが２枚の場合が示されているので、前記シュート１１は搬送装置５から送り出された散布材料を二分してローター９ｂの上面に落下させるようになっている。
【０００７】
この散布機において目砂、肥料等の散布材料を散布する場合、搬送装置５のコンベヤベルト５ｃから送り出された散布材料は、シュート１１を介してローター９ｂの上面に落下し、このローター９ｂの水平回転によって円弧状に飛散される。
【発明の概要】
【発明が解決しようとする課題】
【０００８】
これらの従来の散布機は、搬送装置５によって送り出された目砂、肥料等の散布材料が散布装置により散布されるのであるが、散布機の搬送ベルト５ｃのベルト幅が機長に対して広いためにベルトが蛇行し易い傾向があり、蛇行が著しい場合、ベルトが機枠に当たり、破損する問題がある。
【０００９】
かかる問題に対して、従来は、搬送ベルト５ｃの内側に蛇行防止用Ｖベルトを貼着することによって蛇行を防止している。図５は、従来の搬送装置５の要部を示す分解斜視図であり、そこから搬送ベルト５ｃの蛇行防止機能を理解することができる。図５において、５ｄは蛇行防止用Ｖベルトで、搬送ベルト５ｃの内側に貼着され、図示では２本貼着された場合が示されている。搬送ローラーの駆動ローラー５ａには前記蛇行防止用Ｖベルトの逃げ溝５ｅが設けられると共に軸方向にローレット５ｆが施されている。他方の従動ローラー５ｂには逃げ溝５ｅが設けられている。１２は２本のローラー５ａ、５ｂ間に設けられた受板でホッパー４内に投入された散布材料を受け止めるものである。
【００１０】
このように従来の搬送ベルト５ｃにはＶベルトによって蛇行防止機能が備えられているのであるが、近年、散布効率を向上させるために、例えば、散布幅を一般的な９００ｍｍから１２００〜１５００ｍｍのように幅広くする傾向がある。又、目砂等の散布作業は散布量を少なくして薄撒きで回数を増やす傾向にあり、即ち、シャッター６の開度を少なくして散布するため、狭くなったシャッター６と搬送ベルト５ｃの間の散布材料によって搬送ベルト５ｃに対して抵抗が強く掛かり、ベルト５ｃがスリップする問題がある。特に、蛇行防止用Ｖベルト５ｄはプレーンタイプからなるのでコンベヤローラー５ａ、５ｂが小径になるとその巻着力が低下する。それに対して前後のコンベヤローラー５ａ、５ｂの外径を大きくしてコンベヤローラーへの巻着力を高めることが考えられるが、外径を大きくした分、ホッパー４の高さが高くなり、散布材料の投入が困難になる問題がある。
【００１１】
本発明は、かかる従来技術の問題点を解決するために創案されたものであり、その目的は、散布幅が広がったり、また、散布材料の送り量が少なくなって搬送ベルト全体に抵抗負荷が掛かっても散布材料を確実に搬送できる搬送ベルトを提供すると共に、その搬送ベルトを備えた目砂、肥料等の散布機を提供することにある。
【課題を解決するための手段】
【００１２】
本発明者は、上記目的を達成するために鋭意検討した結果、散布材料の搬送装置の搬送ベルトの内側に設けられていた従来の蛇行防止用Ｖベルトの代わりにコグベルトを貼着することにより、コンベヤローラーに対する搬送ベルトの巻着力が格段に向上することを見出し、本発明の完成に至った。
【００１３】
即ち、本発明は、走行可能な台車と、その台車の後方に設けられた目砂、肥料等の散布材料を収容するホッパーと、このホッパーの下部出口を通ってホッパーから供給される散布材料を後方に搬送する搬送装置と、この搬送装置の後方にて散布材料を散布する散布装置を備えた散布機であって、搬送装置が、周方向に溝を形成されたコンベヤローラーにより搬送ベルトを駆動するように構成され、搬送ベルトのコンベヤローラー側の面の周方向に駆動時にコンベヤローラーの周方向溝に嵌合する幅０．５〜５ｃｍのコグベルトを貼着したことを特徴とする散布機である。
【００１４】
また、本発明は、上記散布機において使用される搬送ベルトであって、コンベヤローラー側の面の周方向に駆動時にコンベヤローラーの周方向溝に嵌合する幅０．５〜５ｃｍのコグベルトを貼着した搬送ベルトである。
【発明の効果】
【００１５】
本発明の目砂、肥料等の散布機は、搬送ベルトに設けられていた従来の蛇行防止用Ｖベルトをコグベルトに変更することにより、コンベヤローラーに対する巻着力を格段に向上しているので、散布材料の送り幅が広くなったり、或いはシャッターの開度が小さくなって送り量が減少してシャッターと搬送ベルトの間の散布材料による搬送抵抗が増大しても、確実に散布材料を散布装置まで搬送することができる。又、コンベヤローラーの外径が小径のままでも搬送ベルトのコンベヤローラーに対する巻着力は強いので、ローラーの大径化によるホッパーの高さの上昇がなく、容易に目砂、肥料等の散布材料を投入することができる。
【図面の簡単な説明】
【００１６】
【図１】図１は、従来の第一例の目砂、肥料等の散布機の全体側面図である。
【図２】図２は、図１の散布機を後方より見た背面図である。
【図３】図３は、従来の第二例の目砂、肥料等の散布機の平面図である。
【図４】図４は、図３の散布機の全体側面図である。
【図５】図５は、従来の目砂、肥料等の散布機の搬送装置の要部を示す分解斜視図である。
【図６】図６は、本発明の目砂、肥料等の散布機で使用する搬送ベルトの一例の概略斜視図である。
【図７】図７は、本発明の目砂、肥料等の散布機で使用する搬送ベルトの他の例の概略斜視図を示す。
【発明を実施するための形態】
【００１７】
本発明の目砂、肥料等の散布機を図面に基づいて説明するが、本発明はこれらに限定されるものではない。
【００１８】
本発明の散布機は、搬送ベルトを除いて、上述の図１〜５で示す従来の散布機と基本的に同じ構造を有するものである。具体的には、本発明の散布機は、従来の散布機の搬送ベルトに貼着されていた蛇行防止用Ｖベルトをコグベルトに変更したものである。従って、本発明の散布機の構造や機能に関して、搬送ベルトおよびそれと関係する部分以外は以下説明を省略する。
【００１９】
図６は、本発明の目砂、肥料等の散布機で使用する搬送ベルトの一例の概略斜視図である。図において、５ｃは搬送ベルト、５ｇは搬送ベルト５ｃのコンベヤローラー側の面に貼着されたコグベルトであり、コグベルト５ｇは部分拡大図でも示される。コグベルトは、搬送ベルトの移動方向に対して直角に凹状の切り込みを連続的に形成して表面を凹凸状にしたノッチタイプのベルトであり、それ自体市販品から入手可能である。１つのコグベルト５ｇの幅は０．５〜５ｃｍ、好ましくは１〜３ｃｍであり、コグベルト５ｇの長手方向が搬送ベルト５ｃの回転方向と同じになるように搬送ベルト５ｃの全内周にわたって接着剤で貼着される。搬送ベルト５ｃがコンベヤローラー５ａ、５ｂの周囲に巻かれて回転駆動されるとき、コグベルト５ｇがコンベヤローラー５ａ、５ｂの周方向に形成された溝５ｅに嵌合するようになっている。ここでの嵌合は、コグベルト５ｇの凹凸部が溝５ｅにフリーに嵌る場合と、コグベルト５ｇの凹凸部が溝５ｅとかみ合う場合の両方を含む。溝５ｅは、前者のような単なる逃げ溝より、コグベルト５ｇの凹凸部にかみ合う形状の溝を形成する方が、強い巻着力を持たせることができる。
【００２０】
図７は、本発明の目砂、肥料等の散布機で使用する搬送ベルトの別の例の概略斜視図である。図７では、図６の２本のコグベルトに対して、１本のコグベルト５ｇが搬送ベルト５ｃの内側の中央に設けられている。１つの搬送ベルトに設けるコグベルトの本数は、特に限定されず、図６、７より多い数（例えば３〜１０本）を設けてもよい。
【００２１】
本発明の散布機では、搬送ベルト５ｃの内側にコグベルト５ｇを設け、コンベヤローラー５ａ、５ｂに対する巻着力が強いので、搬送ベルト幅を１２００〜１５００ｍｍと幅広に設定することができ、また、コンベヤローラー５ａ、５ｂの外径も５０〜１５０ｍｍ、さらには６０〜１００ｍｍと小さく設定することができる。これにより、散布材料の薄撒きに対応でき、しかもコンベヤローラーの外径の拡大によるホッパー投入口の上昇も抑制することができる。
【産業上の利用可能性】
【００２２】
本発明の散布機は、搬送ベルトの送り出し抵抗が増加しても散布材料を確実に送り出すことができるので、散布幅を大きく広げたり、又はシャッター開度を小さく散布量を少なくすることができ、薄撒き散布にも適している。また、本発明の散布機は、搬送ローラーを大径にする必要がないので、ホッパーへの目砂、肥料等の散布材料の投入が容易である。従って、本発明の目砂、肥料等の散布機は、ゴルフ場、公園などの散布作業に極めて有用である。
【符号の説明】
【００２３】
１    走行台車
１ａ  前輪
１ｂ  後輪
２    エンジン
３    ミッション
４    ホッパー
５    搬送装置
５ａ  コンベヤローラー（駆動ローラー）
５ｂ  コンベヤローラー（従動ローラー）
５ｃ  搬送ベルト
５ｄ  蛇行防止用Ｖベルト
５ｅ  溝
５ｆ  ローレット
５ｇ  コグベルト
６    シャッター
７    調整ハンドル
８    リンク機構
９    散布装置
９ａ  回転ブラシ
９ｂ  ローター
９ｃ  円盤
９ｄ  フィン
１０  油圧モーター
１１  シュート
１２  受板
【要約】
【課題】  散布幅が広がったり、また、散布材料の送り量が少なくなって搬送ベルト全体に抵抗負荷が掛かっても散布材料を確実に搬送できる搬送ベルトを備えた目砂、肥料等の散布機を提供する。
【解決手段】  走行可能な台車と、その台車の後方に設けられた目砂、肥料等の散布材料を収容するホッパーと、このホッパーの下部出口を通ってホッパーから供給される散布材料を後方に搬送する搬送装置と、この搬送装置の後方にて散布材料を散布する散布装置を備えた散布機であって、搬送装置が、周方向に溝を形成されたコンベヤローラーにより搬送ベルトを駆動するように構成され、搬送ベルトのコンベヤローラー側の面に駆動時にコンベヤローラーの周方向溝に嵌合するコグベルトを貼着したことを特徴とする散布機。
【選択図】図６【図１】
0005806431.tif 000002
【図２】
0005806431.tif 000003
【図３】
0005806431.tif 000004
【図４】
0005806431.tif 000005
【図５】
0005806431.tif 000006
【図６】
0005806431.tif 000007
【図７】
0005806431.tif 000008